(57)【要約】  事業ディレクトリシステム指向の対話型コミニュティー（４０）及びその処理、実行される際に、指令及びデータが顧客に特定の領域内における事業を探索させることを可能とする命令が埋め込まれた媒体であり、特定の領域はデータ処理装置（４０）が事業ディレクトリデータベース指向のコミニュティーを生成し、維持する場所であり、事業の露出が１つ以上のプログラムオプションを介してディレクトリデータベース（４２）に関連して増大する場合に、事業は１つ以上の事業パッケージに加入し或いは参加することが可能である。顧客は対話型ウェブページを介してディレクトリデータベースにアクセス可能である。【選択図】      図１
2007535843.tif 000002
【特許請求の範囲】
【請求項１】
地理的領域に関連付けられている顧客コンピュータシステムと、
ディレクトリコンピュータシステムに接続可能で、少なくとも一つのプログラムオプションの選択と選択したプログラムオプションのデータの提供とを行う事業コンピュータシステムと、
選択されたプログラムオプションや関連データを含めて地理的領域内に位置する複数の事業に関連した情報を有している事業ディレクトリデータベースを生成可能なディレクトリコンピュータシステムとから成り、
顧客コンピュータシステムが事業ディレクトリデータベースにアクセスすることを特徴とする対話型コミニュティ指向事業ディレクトリシステム。
【請求項２】
顧客コンピュータシステムで実行可能であり、インターネットを経由してディレクトリコンピュータシステムから事業ディレクトリデータベースにアクセスするためのソフトウェアや事業ディレクトリデータベースを顧客コンピュータシステムがダウンロードすることを特徴とする請求項１に記載の対話型コミニュティ指向事業ディレクトリシステム。
【請求項３】
ディレクトリコンピュータシステムが主催しているインターネットウェブページを介して顧客コンピュータシステムが事業ディレクトリデータベースにアクセスすることを特徴とする請求項１に記載の対話型コミニュティ指向事業ディレクトリシステム。
【請求項４】
事業コンピュータシステムがインターネットウェブページを介してディレクトリコンピュータシステムと交信することを特徴とする請求項２に記載の対話型コミニュティ指向事業ディレクトリシステム。
【請求項５】
事業ディレクトリデータベースには複数の事業カテゴリが含まれていて、複数の事業カテゴリに基づいてデータベースを探索可能であることを特徴とする請求項４に記載の対話型コミニュティ指向事業ディレクトリシステム。
【請求項６】
顧客コンピュータシステムで実行されるとデータベースアクセスソフトウェアが地図表示ウィンドウ、検索用ウィンドウ、検索結果表示ウィンドウを提供することを特徴とする請求項４に記載の対話型コミニュティ指向事業ディレクトリシステム。
【請求項７】
データベースアクセスソフトウェアにより顧客コンピュータシステムにイベントログテーブルが保持されることを特徴とする請求項６に記載の対話型コミニュティ指向事業ディレクトリシステム。
【請求項８】
検索用ウィンドウは顧客コンピュータシステムのユーザにカテゴリ型検索、キーワード型検索、名称型検索のいずれかの選択を可能にすることを特徴とする請求項６に記載の対話型コミニュティ指向事業ディレクトリシステム。
【請求項９】
事業コンピュータシステムに少なくとも一つのプログラムオプションの選択と選択されたプログラムオプションのデータの提供とを可能にさせる作用と、
地理的領域に位置する複数の事業に関連した情報や選択されたプログラムオプションや関連データを有している事業ディレクトリデータベースをディレクトリコンピュータシステム経由で生成する作用とから成り、
顧客コンピュータシステムが事業ディレクトリデータベースにアクセスすることを可能にすることを特徴とする対話型コミニュティ指向事業ディレクトリ方法。
【請求項１０】
ディレクトリコンピュータシステムから事業ディレクトリデータベースにインターネットを経由してアクセスするために顧客コンピュータシステムが実行可能なソフトウェアや事業ディレクトリデータベースを顧客コンピュータシステムがダウンロードすることを可能にする作用から成ることを特徴とする請求項９に記載の対話型コミニュティ指向事業ディレクトリ方法。
【請求項１１】
ディレクトリコンピュータシステムが主催しているインターネットウェブページを介して顧客コンピュータシステムが事業ディレクトリデータベースにアクセスすることを可能にする作用から成ることを特徴とする請求項９に記載の対話型コミニュティ指向事業ディレクトリ方法。
【請求項１２】
事業コンピュータシステムがインターネットウェブページを介してディレクトリコンピュータシステムと交信することを可能にする作用から成ることを特徴とする請求項１０に記載の対話型コミニュティ指向事業ディレクトリ方法。
【請求項１３】
事業ディレクトリデータベースには複数の事業カテゴリが含まれていて、複数の事業カテゴリに基づいてデータベースを探索可能であることを特徴とする請求項１２に記載の対話型コミニュティ指向事業ディレクトリ方法。
【請求項１４】
顧客コンピュータシステムで実行されるとデータベースアクセスソフトウェアが地図表示ウィンドウ、検索用ウィンドウ、検索結果表示ウィンドウを提供することを可能にする作用から成ることを特徴とする請求項１２に記載の対話型コミニュティ指向事業ディレクトリ方法。
【請求項１５】
データベースアクセスソフトウェアが顧客コンピュータシステムにイベントログテーブルを保持することを可能にする作用から成ることを特徴とする請求項１４に記載の対話型コミニュティ指向事業ディレクトリ方法。
【請求項１６】
顧客コンピュータシステムのユーザが検索用ウィンドウ内のカテゴリ型検索、キーワード型検索、名称型検索のいずれかを選択することを可能にする作用から成ることを特徴とする請求項１４に記載の対話型コミニュティ指向事業ディレクトリ方法。
【請求項１７】
対話型コミニュティ指向事業ディレクトリ方法の為のデータ指示によりコード化されるコンピュータ読み取り可能媒体であって、装置により実行される際、該装置はプロセスを実行させられ、前記プロセスは、
事業用コンピュータシステムに少なくとも一つのプログラムオプションを選ばせ、選択したプログラムオプションに対しデータを提供することを可能にすること、
地理的地域内にある複数個の事業と選択されたプログラムオプションとに関連した情報を有する事業ディレクトリデータベースと、関連するデータとを、ディレクトリコンピュータシステムを介して発生すること、
顧客コンピュータシステムが前記事業ディレクトリデータベースをアクセス可能にすること
を具備するコンピュータ読み取り可能媒体。
【請求項１８】
対話型コミニュティ指向事業ディレクトリ方法の為のデータ指示によりコード化される請求項１７に記載したコンピュータ読み取り可能媒体であって、インターネットを介してディレクトリコンピュータシステムから事業ディレクトリデータシステムにアクセス可能となるように、前記装置は、顧客コンピュータシステムが前記事業データディレクトリと前記顧客コンピュータシステムにより実行可能なソフトウェアとをダウンロード可能にすることを特徴とするコンピュータ読み取り可能媒体。
【請求項１９】
対話型コミニュティ指向事業ディレクトリ方法の為のデータ指示によりコード化される請求項１７に記載したコンピュータ読み取り可能媒体であって、前記装置は、顧客コンピュータシステムがディレクトリコンピュータシステムが提供するインターネットのウェブページを介して前記事業ディレクトリデータベースにアクセスすることを可能にすることを特徴とするコンピュータ読み取り可能媒体。
【請求項２０】
対話型コミニュティ指向事業ディレクトリ方法の為のデータ指示によりコード化される請求項１８に記載したコンピュータ読み取り可能媒体であって、前記装置は、前記事業コンピュータシステムがインターネットのウェブページを介して前記ディレクトリコンピュータシステムにアクセスすることを可能にすることを特徴とするコンピュータ読み取り可能媒体。
【請求項２１】
対話型コミニュティ指向事業ディレクトリ方法の為のデータ指示によりコード化される請求項２０に記載したコンピュータ読み取り可能媒体であって、前記事業ディレクトリデータベースは複数個の事業カテゴリを含み、前記データベースは前記複数個の事業カテゴリに基づき検索可能であることを特徴とするコンピュータ読み取り可能媒体。
【請求項２２】
対話型コミニュティ指向事業ディレクトリ方法の為のデータ指示によりコード化される請求項２０に記載したコンピュータ読み取り可能な媒体であって、前記データベースアクセスソフトウェアが前記顧客コンピュータシステムで実行される時、前記装置は、前記データベースアクセスソフトウェアがマップウィンドウ、検索ウィンドウ、及び検索結果ウィンドウを提供可能にすることを特徴とするコンピュータ読み取り可能な媒体。
【請求項２３】
対話型コミニュティ指向事業ディレクトリ方法の為のデータ指示によりコード化される請求項２２に記載したコンピュータ読み取り可能な媒体であって、前記装置は、前記データベースアクセスソフトウェアが前記顧客コンピュータシステム上にイベントログテーブルを維持可能にすることを特徴とするコンピュータ読み取り可能な媒体。
【請求項２４】
対話型コミニュティ指向事業ディレクトリ方法の為のデータ指示によりコード化される請求項２２に記載したコンピュータ読み取り可能な媒体であって、前記装置は、顧客コンピュータシステムのユーザが、カテゴリ、キーワード及び名称検索タイプのうちの一つを前記検索ウィンドウ上で選ぶことを可能にすることを特徴とするコンピュータ読み取り可能な媒体。
【発明の詳細な説明】
【技術分野】
【０００１】
本発明は、職業別電話帳システムと方法、特に対話型職業別電話帳システムと方法に関する。
【背景技術】
【０００２】
従来の、印刷された職業別電話帳（例えば、地域通信事業者が提供するイエローページ）は、地域の事業会社に関する情報を含んでいる。地域通信事業者は、利用者に様々なリストまたはパッケージを提供している。このリストやパッケージでは、電話帳に含まれる会社情報が選択・加入パッケージによって変化に富む。強化パッケージは、事業会社の業務内容を同業他社の業務から自社の業務内容を区別するために付加的情報や特異な印刷形態（例えば、色、サイズ、その他印刷特徴）を含む。このような強化パッケージに対しては、職業別電話帳の作成事業者は通常、広告料を課する。また、顧客が最寄りの事業会社を対話型的に見つけることが出来るようにすることが望ましい。よって、（職業別電話帳の）使用者が、自分の住む地域や周辺地域の目当ての事業会社を見つけられるように、また事業会社が事業拡大できるような対話型職業別電話帳システムと方法に対する要求が有る。
【発明の開示】
【０００３】
本発明は、コミニュティ使用の対話型職業別電話帳システムとその用法、並びに、機器により実行されると事業所内コンピュータシステムが少なくとも一つのプログラムオプションを選択し、選択したプログラムオプション用の情報を提供できる命令を含んだ符号化媒体を含む。また、本発明は、地理的地域内の事業会社に関する情報と、電話帳コンピュータシステムを介する、選択したプログラムオプションと関連情報とを有する職業別電話帳データベースを提供する。さらに本発明は、顧客コンピュータシステムの職業別電話帳へのアクセス可能にする。
【０００４】
また、本発明は、顧客コンピュータシステムがインターネットを介して前記職業別電話帳データベースとソフトウエアとを前記電話帳システムからダウンロード出来るようにしている。本発明では、前記顧客コンピュータシステムに、前記電話帳コンピュータシステムにより管理するインターネットウエブサイトを介して前記職業別電話帳データベースにアクセスさせても良い。加えて、本発明では、業務用コンピュータシステムがインターネットウエブページを介して前記電話帳コンピュータシステムと通信できるようにしても良い。ある実施例では、前記職業別電話帳データベースは複数個の業務カテゴリーを含み、これら業務カテゴリーに基づき前記データベースを検索可能である。本発明の更なる実施例では、前記データベースをソフトウエアにアクセスさせ、この顧客ソフトウエアをコンピュータシステム上で実行してマップウィンドウと、検索ウィンドウと、検索結果ウィンドウとを提供しても良い。
【０００５】
本発明の他の実施例では、前記データベースをソフトウエアにアクセスさせ、エベント・ログテーブルを前記顧客コンピュータシステム上で維持させても良い。さらに、本発明は、前記検索ウィンドウ内のカテゴリー、キーワード及びネーム検索タイプのうち、ひとつを顧客コンピュータシステムの使用者に選択させても良い。別の実施例おいて、選択可能な業務オプションには、検索中に目当ての事業会社を見つけた時に、当該事業会社へのビデオリンクと操作指示とを前記マップウィンドウに示すこと、業務内容の詳細、多重検索用キーワード、電子割引券を提供すること、一つ以上のウエブリンクと一つ以上のＥメールリンクを複数カテゴリーについて提供することが含まれる。
【０００６】
また、本発明は、顧客が前記データベースのソフトウエアの実行または前記データベースへのアクセスを顧客が所定活動用のウエブページ点を介して行うことを可能にしている。この実施例の場合、顧客は異なる活動点レベルを要する割引券に顧客はアクセスしても良い。別の実施例では、ある割引券の活動点レベルを表示しても良い。さらに、別の実施例では、活動点レベルを要する割引券のみを、必要な活動点レベルを顧客が獲得した時に表示しても良い。
【０００７】
ある実施例では、事業会社は、選択した事業オプションを電話帳コンピュータシステムが提供する対話型ウエブページを介して更新しても良い。他の実施例では、事業会社は、選択した事業オプションをオフラインで更新し、次いで更新したオプションを電話帳コンピュータシステムへインターネットを介して送信しても良い。さらに、別の実施例では電話帳はコミニュティに関する情報を含む。
【０００８】
さらなる実施例では、職業別電話帳にアクセスして顧客コンピュータシステムの使用者が行う活動は、エベント・ログテーブルに格納する。この実施例の場合、所定数のエベントが記録された後や直前の同期処理から所定時間が経過した後に定期的に、あるいは同期処理中に使用者イベント・ログテーブルを前記電話帳コンピュータシステムへ送信しても良い。この実施例では、同期処理中は、職業別電話帳は、顧客コンピュータシステムがアクセス中の職業別電話帳バージョンと職業別電話帳の現有バージョンとに基づいて更新しても良い。このような同期処理中は、エベント・ログテーブルは理想的にはクリアしておく。
【０００９】
ある実施例では、顧客コンピュータシステムのアップロード済みエベント・ログテーブルからデータベースコンピュータシステムが編集した顧客活動報告を事業会社は要求しても良い。別の実施例では、事業会社は前記顧客活動報告を、事業会社は地理的パラメタ、カテゴリー選択、キーワード選択、活動時間帯および検索フィルタに基づいて調整しても良い。さらに別の実施例では、顧客がその地域名を入力したり、あるいはＧＰＳ信号や他の位置検出技術を使ってＣＣＳ１２、１４が当該地域を判定し、その地域名をＣＯＩＢＤＳ４０へ送信しても良い。
【００１０】
他の実施例では、マップウィンドウを、家の形をしたアイコンで示す顧客コンピュータシステムの使用者アドレスの中央に自動的に置いても良い。この実施例の場合、検索ウィンドウに表示される参画する事業会社は、前記マップウィンドウ内に表示位置を有する。他の実施例では、事業会社によっては、独自にアイコンまたは、その周知の商標に似たアイコンを持っても良い。
【発明を実施するための最良の形態】
【００１１】
本発明の特徴、目的、効果は、図面を参照した下記の詳細な説明からさらに明らかになる。図面中の参照番号は一貫して使用される。
【００１２】
本出願は、２００４年３月２９日提出の仮特許出願第６０/５５７，１６３号、代理人整理番号３０９１．２．１Ｐ、発明の名称「電子電話帳検索システムインターフェス」に関連するもので、同仮出願の内容は引用により本出願に包含される。
【００１３】
ここでは、発明の使用と実現を説明するために実施形態と変形例を取り上げる。事例的説明は、本発明の範囲を限定するものとしてではなく本発明の例（以後例示的な実施形態と呼ぶ）を示すものと理解されなけばならない。
【００１４】
図１は、本発明による例示的なコミュニティ指向インタラクティブ事業ディレクトリアーキテクチャ１０のブロック図である。例示的アーキテクチャ１０は、ネットワークのネットワークすなわちインターネット３０を介して例示的なコミュニティ指向インタラクティブ事業ディレクトリデータ処理システム（ＣＯＩＢＤＳ）４０と結合された複数の顧客コンピュータシステム（ＣＣＳ）１２、１４と複数の契約又は加入している事業のコンピュータシステム（ＳＢＳ）２２、２４を含む。例示的な一実施形態では、事業代表者は事業のディレクトリサブスクリプションを選択し、ＣＯＩＢＤＳ４０によって作成され提供される１つ又は複数のウェブページを受け取るＳＢＳ２２、２４を介してその事業情報を保持する。例示的ＣＯＩＢＤＳ４０は、事業代表者にそのディレクトリサービスのサブスクリプションを可能にし、そのサブスクリプションと関連する事業情報の保持を可能にするインターネット３０を介してウェブページを作成し提供することができる。ＣＯＩＢＤＳ４０は、１つ又は複数のデータベースに事業情報を保持することができる。
【００１５】
例示的な一実施形態では、ＣＣＳ１２、１４を介して顧客は、インタラクティブソフトウェアと、そのインタラクティブソフトウェアによってアクセスされるデータベースにフォーマットされているコミュニティ指向事業情報を、インターネット３０を介してＣＯＩＢＤＳ４０からダウンロードすることができる。他の例示的な実施形態では、ディレクトリプロバイダは、インタラクティブソフトウェアと、そのインタラクティブソフトウェアによってアクセスされるデータベースにフォーマットされているコミュニティ指向事業情報を含むコンピュータ読み取り可能媒体５０を作成し配布することができる。インストール媒体５０は、コンパクトディスク（ＣＤ）又はメモリカード（コンパクトフラッシュ（登録商標）（ＣＦ）又はセキュアデジタル（ＳＤ）カード）を含む非揮発性のコンピュータ読み取り可能媒体である。他の実施形態では、ＣＣＳ１２、１４を介して顧客は、インターネット３０を介してＣＯＩＢＤＳ４０が提供するウェブページを経由してインタラクティブにコミュニティ指向事業ディレクトリ情報を見ることができる。ＣＣＳ１２、１４とＳＢＳ２２、２４は、（たとえばプロセッサ、非揮発性記憶媒体、（Ｍｉｃｒｏｓｏｆｔ（登録商標）Ｗｉｎｄｏｗｓ（登録商標）、Ｌｉｎｕｘ（登録商標）、Ｕｎｉｘ（登録商標）、Ｍａｃ（登録商標）、又はＯＳＸ（登録商標）のようなオペレーティングシステムを有する）コンピュータ、パーソナルデータアシスタント（ＰＤＡ）、又はソフトウェア実行システム（たとえばＭｉｃｒｏｓｏｆｔ（登録商標）のＳｍａｒｔｐｈｏｎｅ（登録商標）オペレーティングシステムやＱｕａｌｃｏｍｍ（登録商標）のＢＲＥＷ（登録商標）オペレーティングシステムなど）がインストールされた携帯電話を含む、ソフトウェアプログラムを実行可能ないかなるデバイスであってもよい。例示的な一実施形態では、ＣＣＳ１２、１４のユーザは、自分のコミュニティにおいて、又は自分のコミュニティに関して希望する事業を検索するための事業ディレクトリソフトウェアをローカルに（ＣＯＩＢＤＳ４０とのリアルタイムインタラクションではない）ダウンロード又はインストールすることができる。他の実施形態では、ＣＣＳ１２、１４のユーザは、ＣＯＩＢＤＳ４０が作成するウェブページを介して自分のコミュニティにおいて、又は自分のコミュニティに関して希望する事業を検索することができる（リアルタイムインタラクション）。
【００１６】
図２は、図１に示したように例示的なＣＯＩＢＤＳ４０のブロック図である。ＣＯＩＢＤＳ４０は、サーバ４６と、光、磁気などの恒久的データ記憶装置のような複数のデータ記憶装置４２、４４を含む。ＣＯＩＢＤＳ４０は、データベースがコミュニティ固有事業ディレクトリを保持し作成するのに使用される記憶装置４２、４４にデータベースを保存する。また、ＣＯＩＢＤＳ４０は、更新されたコミュニティ指向データベースと顧客又はビジネスユーザウェブページを更新し作成するための実行可能命令を含むプログラムファイルを記憶装置４２、４４に保存することができる。ＣＯＩＢＤＳ４０のサーバ４６は、プロセッサが記憶装置４２、４４とも結合されているプロセッサ４３と結合されたメモリ４１を含む。プロセッサ４３は、ＳＢＳ２２、２４とＣＣＳ１２、１４のために顧客同期化を実行し、データベースを更新し、事業からのサブスクリプション要求を処理するプログラム命令を実行する。メモリ４１はデータとプログラム命令を保存する。そして、このデータには、記憶装置４２、４４のデータベースに保存することのできる同期化データ処理、データベース更新、及びビジネスサブスクリプション要求が含まれる。ＣＯＩＢＤＳ４０は、Ｍｉｃｒｏｓｏｆｔ（登録商標）．Ｎｅｔ（登録商標）プログラムを実行して、拡張マークアップ言語（ＸＭＬ）を介して自身とＣＣＳ１２、１４及びＳＢＳ２２、２４の間のコミュニケーションを可能にする。
【００１７】
図３は、本発明による例示的なコミュニティ指向事業ディレクトリデータベース作成プロセス６０のフローチャートである。プロセス６０において、例示的なコミュニティ指向事業ディレクトリデータベースが作成され、インターネット３０の転送あるいはインストール媒体５０あるいはＣＣＳ１２、１４による使用により、ＣＣＳ１２、１４にウェブページ経由でリアルタイムに配布される。プロセス６０では、地理的領域（コミュニティ指向）が最初に選択あるいは確立される（ステップ６２）。ＣＣＳ１２、１４ユーザインストール要求、同期要求、又はウェブページインタラクション要求は、郵便番号、市や州、電話のエリアコードや交換局、又はその他の地理的識別子のようなユーザの地理的位置を示すものを含むことがある。一実施形態では、ＣＣＳ１２、１４は、１つ又は複数の衛星利用測位システム（ＧＰＳ）の信号又は携帯電話ベースの位置信号を通してその現在位置を示すことがある。地理的識別子に基づいて、ＣＯＩＢＤＳ４０は、特定の地理的位置に近い又はその周辺の事業を選択し、ビジネスリストテーブルを用意することができる。例示的な一実施形態では、ビジネスリストテーブルは、詳細事業情報が表示可能なサプスクリプションを関連する事業が有するところで表示される追加情報を含むことがある。
【００１８】
例示的プロセス６０では、コミュニティ情報テーブルは、特定の地理的位置に基づいて埋められ、あるいは作成される（ステップ６６）。コミュニティ情報テーブルは、地元政府の情報、人口統計、天気予報／天気データ、地域娯楽情報、公立又は私立学校の情報、電話番号、ウェブページアドレス、リンク、及び関連の電子メールアドレスを含む、緊急又はその他の重要な連絡先、及び私的及び公的なユーティリティ情報を含むことがある。
【００１９】
例示的なデータベース作成プロセス６０はキーワードやクーポンを作成し、一定数のキーワード、電子クーポン、及びビジネスカテゴリがビジネステーブルに載っている各事業と関連するカテゴリテーブルを埋めることができる（ステップ６８）。例示的な一実施形態では、事業には選択したサブスクリプションを基にして一定数のキーワード、クーポン、及びビジネスカテゴリが割り当てられることがある。例示的な一実施形態では、非契約事業にはキーワードやクーポンが割り当てられず、ただ一つのビジネスカテゴリに含まれる。そして契約／加入事業には一定数のキーワードやクーポンが割り当てられ、そのサブスクリプションのタイプや加入のレベルに応じて複数のビジネスカテゴリに含まれる（一実施形態では２０、５０、又は１００のキーワード、１、３、又は６の電子クーポン、１又は２のビジネスカテゴリ）。各キーワードは一意であるか、事業がキーワードを繰り返し使用し、事業の主な機能に応じて検索で見つかるビット数を増やすことができる。一実施形態では、事業は、各クーポンが記述と終了の日付を含む電子クーポンを作成することができる。データベースに含まれるソフトウェアを使用する顧客は、クーポンを表示しまた印刷して、終了日前に関連事業に提示することにより各クーポンに示されている割引き又は値引きを入手することができる。
【００２０】
他の実施形態では、顧客の不満や苛立ちを防ぐために事業が適切に分類されインデックス付けされてるように販売員が事業のキーワードを選択し、そのクーポンを準備し、そのカテゴリなどを選択することができる。他の実施形態では、プロセス６０がキーワードインデックステーブルを準備し（ステップ７２）、キーワード検索の時間と負荷を減らすことができる。こうして作成されるデータベースは事業情報、コミュニティ、キーワード、カテゴリ、キーワードインデックス、クーポンテーブルを含み、特定の地理的位置の顧客がインターネット３０又はデータベースやサポートソフトウェアを含むインストール媒体を使って配布したり表示したりすることができる。
【００２１】
図４は、本発明による例示的なウェブベースコミュニティ指向インタラクティブ事業ディレクトリデータベース選択と顧客ダウンロードプロセス８０のフローチャートである。ダウンロードプロセス８０において、ＣＣＳ１２、１４を介して顧客は、最初に事業ディレクトリダウンロードウェブページをロードする（ステップ８２）。ＣＯＩＢＤＳ４０がウェブページを作成するか、あるいはウェブページ要求へのプロセスあるいはＣＯＩＢＤＳ４０によって制御される他のウェブページプロバイダが、顧客ディレクトリダウンロードウェブページを要求元のＣＣＳ１２、１４に送信することができる。そして、顧客はその地理的位置を選択あるいは示すことができる（ステップ８４）。こうして、プロセス６０を介したＣＯＩＢＤＳ４０は、適切なコミュニティ指向データベースを作成することができる。ＣＣＳ１２、１４を介して顧客は、コンパイル済みのデータベースや関連ソフトウェアを選んでダウンロードすることができる（ステップ８６）。ソフトウェアバージョンは、要求のタイプ（インターネットブラウザのタイプ）によって決められる。あるいは、どのＮｅｔ（登録商標）プラットフォームでも実行可能なビジュアルベーシックオブジェクトコードのようなプラットフォーム独立のオブジェクトコードである。ダウンロードされたデータベースと関連事業ディレクトリソフトウェアはソフトウェアがインストールされるまで、ＣＤＳ１２、１４にローカルに保存される（ステップ８０）。
【００２２】
図５は、本発明による例示的なコミュニティ指向インタラクティブ事業ディレクトリデータベースとソフトウェアロードプロセス９０のフローチャートである。このプロセスにおいて、顧客は、地理指向のデータベース及び関連の事業ディレクトリソフトウェアを含むインストール媒体５０を受け取っている。顧客は、ＣＣＳ１２、１４を使って媒体５０を読む（ステップ９２）。プロセス８０又は９０の完了の後に、顧客はＣＣＳ１２、１４に事業ディレクトリソフトウェアをインストールすることができる。図６は、本発明による例示的なコミュニティ指向インタラクティブ事業ディレクトリ顧客インストールプロセス１００のフローチャートである。このプロセス１００では、顧客がソフトウェアインストールプロセスを開始する（ステップ１０２）。例示的なインストールプロセスでは、顧客は自分の物理アドレスと電子メール（Ｅ−ｍａｉｌ）アドレスの入力を要求される（ステップ１０４及び１０６）。その後、ソフトウェアがインストールされる（図７に示すプロセス１１０が例示的な実施形態で実行される）。そして、事業ディレクトリソフトウェアとデータベースインストールプロセス１００が終了する（ステップ１０８）。
【００２３】
すでに述べたように、図７は、本発明によるＣＣＳ１２、１４によって実行される例示的なコミュニティ指向インタラクティブ事業ディレクトリソフトウェアインストールプロセス１１０のフローチャートである。プロセス１１０では、データベースバージョンと共に物理アドレスを受け取る（ステップ１１２）。地理的領域は、物理アドレスを基にし、データベースバージョンで符合化されているデータベース領域と比較して決められる（ステップ１１４）。地理的領域とデータベース領域がマッチすると、顧客の物理アドレスと電子メールアドレスが事業ディレクトリデータベース内の１つ又は複数のテーブルに保存される（ステップ１１６）。その後、プロセス１１０はヌルイベントテーブルを準備する（ステップ１１８）。そこでは、検索、用語検索、カテゴリ選択、キーワード入力、フィルタ活性化のような顧客の活動は、イベントテーブルに保存され、そのイベントテーブルは同期時にＣＯＩＢＤＳ４０にアップロードされる。例示的な実施形態では、顧客は記録されたイベント活動に対してポイント（クーポンと呼ばれる）を割り当てられる。これらのポイントは、イベントテーブルに蓄積され、同期の際にＣＯＩＢＤＳ４０にアップロードすることができる。他の例示的な実施形態では、いくつかの事業は、一定数のクーポン合計を有する顧客にだけ見えたり利用できたりするクーポンを作成することがある。例示的な一実施形態では、特定のクーポンを表示するのに必要なクーポンレベルが表示されないが、他の実施形態では顧客が事業ディレクトリソフトウェアを使用する意欲を持つように必要なレベルと現在のレベルが表示される。
【００２４】
例示的な顧客サイド事業ディレクトリソフトウェアインストールプロセス１１０は、保存されている事業データベースが最新かどうかを判断することができる（ステップ１２２）。ソフトウェアは、データベースバージョンを基にしてデータベース作成日を判断することができる。ソフトウェアはＣＯＩＢＤＳ４０と対話してその地理的領域で利用可能な最新のデータベースバージョンを決定することができる。プロセス１１０がデータベースが最新でない、すなわち古いと判断すると、ソフトウェアはＣＯＩＢＤＳ４０から最新版のデータベースを要求し受け取ることができる（ステップ１２４）（ここで、ＣＯＩＢＤＳ４０は、図３に示すプロセス６０を実行して最新のデータベースを作成してよい）。こうして、顧客サイド事業ディレクトリソフトウェアインストールプロセス１１０は完了する（ステップ１２６）。
【００２５】
図８は、本発明による、例示的なコミュニティ指向インタラクティブ事業ディレクトリの事業契約及び加入プロセス１３０のフローチャートである。この例示的プロセス１３０では、事業ディレクトリデータベースに載りたい事業は、各パッケージが様々なレベルのビジネス露出レベルを提供する１つ又は複数のビジネスパッケージに加入したり、このパッケージを契約したりすることを選択できる。例示的プロセス１３０では、事業代表者は最初に、事業パートナ契約／加入サインアップウェブページをロードすることができる（ステップ１３２）。ＳＢＳ２２、２４は、インターネット３０を介してＣＯＩＢＤＳ４０により契約選択／加入レベルページと共に受け取られ、戻される、ウェブページ要求を作成することができる。その際、事業代表者はＣＯＩＢＤＳ４０が提供しているウェブページを通して希望する契約又は加入パッケージを選ぶことができる（ステップ１３４）。そのとき、事業代表者は事業の物理アドレスと、事業に関連する１つ又は複数の電子メールアドレスを入力するように求められ得る（ステップ１３６）。事業代表者は、支払いプログラム又はオプションを選択し、選択された契約又は加入パッケージを有効にすることができる（ステップ１３８）。例示的プロセス１３０では、事業代表者の入力は（ＳＢＳの）ローカルテーブルに保存され得る。
【００２６】
図９は、本発明による、例示的なコミュニティ指向インタラクティブ事業ディレクトリ事業情報の設定又は保守プロセス１５０のフローチャートである。ある事業がサブスクリプションパッケージを有効にした後、あるいはそのサブスクリプション中の任意の時点で、事業はインターネットを介してＣＯＩＢＤＳ４０から保守ウェブページをロードすることによって、その地理的位置／地域やサプスクリプションのタイプに基づき、１つ又は複数のディレクトリに含まれる自分の事業情報を入力又は修正することができる（ステップ１５２）。一実施形態では、このプロセスはＳＢＳ２２、２４でローカルに実行され、後でＣＯＩＢＤＳ４０にアップロードされてよい。事業代表者は、自分のサブスクリプションパッケージに基づいて事業情報ウィンドウに示される事業情報やリンクを編集することができる（ステップ１５４）。この事業情報には、１つ又は複数のウェブリンク、ビデオリンク、そしてその事業関連の詳細情報が含まれ得る。事業代表者は、それぞれの数がサブスクリプションパッケージによって決まる、その事業関連のキーワード、カテゴリ、クーポンを修正あるいは選択することができる（ステップ１５８）。また、事業代表者は、その事業関連の電子メールアドレスを１つ又は複数入力することができる（ステップ１６２）。例示的な一実施形態では、ビジネスウィンドウの情報は、事業の情報カードの選択時に、顧客サイド事業ディレクトリソフトウェア又はウェブページアクティブプログラムが、自動的に（Ｏｕｔｌｏｏｋ（登録商標）アドレス帳、携帯電話のアドレス帳、又はＰＤＡのアドレス帳のような）１つ又は複数のアドレス帳にアップロードする、電子事業情報ウィンドウを備えていてよい。
【００２７】
例示的な一実施形態では、事業代表者は、選択すると顧客サイドビジネスソフトウェア内で表示される、（Ｍｏｔｉｏｎ  Ｐｉｃｔｕｒｅｓ  Ｅｘｐｅｒｔ  Ｇｒｏｕｐ（ＭＰＥＧ）のような既知のフォーマットの）デジタル符合化ビデオをアップロードすることができ得る（ステップ１６４）。ビデオを顧客にアップロード及び表示することができるかどうかは、事業が選択したサブスクリプションパッケージ次第である。先に述べたように、顧客がコミュニティ指向インタラクティブ事業ディレクトリソフトウェアを使っているとき、その行動はイベントとして記録され、（ＣＣＳ１２、１４の）ローカルテーブルに保存され、同期作業の際にＣＯＩＢＤＳ４０にアップロードされる（図１２のプロセス１９０）。契約事業やその他のビジネスエンティティは、ＣＯＩＢＤＳ４０との同期作業時に１つ又は複数の顧客から収集されたイベントデータに基づき様々な顧客活動レポートを要求し受け取ることができる。
【００２８】
図１０は、本発明による、例示的なコミュニティ指向インタラクティブ事業ディレクトリ顧客活動レポート要求プロセス１７０のフローチャートである。顧客活動レポートを希望する個人又は事業は、ＣＯＩＢＤＳ４０から顧客活動レポート要求ウェブページをロードすることができる（ステップ１７２）。その後、ユーザは希望するレポートを選択し（ステップ１７４）、希望する顧客活動レポートをダウンロード又は受け取ることができる（ステップ１７６）。図１１は、本発明による、例示的なコミュニティ指向インタラクティブ事業ディレクトリ顧客活動レポート作成プロセスのフローチャートである。ＣＯＩＢＤＳ４０が顧客活動レポート要求を受け取ると（ステップ１８２）、ＣＯＩＢＤＳ４０はＣＣＳ１２、１４とＣＯＩＢＤＳ４０の間での同期作業時に蓄積されたイベントデータに基づき、選択されたレポートを作成することができる。レポート選択には、例示的な一実施形態で使用される地理的パラメータ、カテゴリ選択、キーワード選択、活動タイムフレーム、フィルタが含まれてよい。レポートの作成時に、ＣＯＩＢＤＳ４０は、インターネット３０を使ってレポートを要求元に転送することができる（ステップ１８０）。
【００２９】
図１２Ａは、本発明による、例示的なコミュニティ指向インタラクティブ事業ディレクトリ顧客サイドソフトウェア設定プロセス１９０のフローチャートである。例示プロセス１９０では、事業ディレクトリデータベースがロードされる。例示的な一実施形態では、プロセス１９０は一定数のイベントが記録されたとき、又は最後の同期以後一定のタイムフレームが経過したとき、事業ディレクトリデータベースを定期的に同期したいかどうかをユーザに尋ねることができる。プログラムは、頻繁な同期を促すために同期の際に集められるクーポンをユーザが収集していないことを、ユーザに想起させる。他の例示的な実施形態では、プロセスは一定数のイベントが記録されたとき、又は最後の同期以後一定のタイムフレームが経過したとき、事業ディレクトリデータベースを定期的に、また自動的に同期することができる（ステップ１９４）。ユーザが同期を要求すると、あるいはプロセス１９０が自動的に同期を活性化すると、プロセス１９０はＣＯＩＢＤＳとの同期を要求する（ステップ１９６）。ＣＯＩＢＤＳ４０は、ＣＣＳ１２、１４からイベントログテーブルを受け取り、最新の事業ディレクトリデータベースをヌルイベントログテーブルと共に送信することができる。プロセス１９０は、受領時に更新された事業ディレクトリデータベースを受け取り、保存し、ロードすることができる（ステップ１９８）。その後、プロセス１９０は、コミュニティ指向インタラクティブ事業ディレクトリプログラムを起動又は開始することができる。
【００３０】
他の実施形態では、顧客は、提供されるウェブページを通じて、あるいはＣＯＩＢＤＳ４０によってリアルタイムで、インタラクティブにコミュニティ指向事業情報を取得することができる。図１２Ｂは、ＣＯＩＢＤＳ４０が提供するウェブページを介して、顧客がインタラクティブにコミュニティ指向事業情報を取得できる例示プロセス９４のフローチャートである。プロセス９４では、顧客は顧客事業ディレクトリウェブページをロードする（ステップ９５）。プロセス９４では、顧客がログインするかあるいは自動的にログインされる場合があり、その活動に基づいてクーポンが蓄積されていく。他の実施形態では、顧客が自分の地理的領域を入力するか、ＧＰＳ信号又はＣＣＳ１２、１４によるその他の位置特定技術によって地域が決められ、ＣＯＩＢＤＳ４０に送信され得る（ステップ９６）。その後、プロセス９４は地域固有のインタラクティブ事業ディレクトリウェブページを提供することができる（ステップ９８）。その際、顧客はウェブページで提供されているオプションを選択し、１つ又は複数の関心のある地域ビジネスを見つけることができる。顧客の活動は、ＣＯＩＢＤＳ４０のデータベースに保存されているイベントテーブルログに保存される。
【００３１】
図１３は、本発明による、例示的なコミュニティ指向インタラクティブ事業ディレクトリプログラムの画面又はウェブページ２００の図である。この図に示されているように、画面又はウェブページ２００はマップセクション２１０、検索選択セクション２２０、検索結果セクション２４０を含む。例示的な画面２００はまた、複数のホットボタン２６２、２６４、２６６を含む。例示マップセクション２１０において、地理的領域は２つのコミュニティ、すなわちカリフォルニア州ミュリエタ（Ｃａｌｉｆｏｒｎｉａ，Ｍｕｒｒｉｅｔａ）、カリフォルニア州テメキュラ（Ｃａｌｉｆｏｒｎｉａ，Ｔｅｍｅｃｕｌａ）を含む。コミュニティのサイズ又は人口密度に応じて、マップセクション２１０は、複数のコミュニティ又は１つのコミュニティの一部分を含むことがある。さらに、顧客は、マップセクション２１０の地域をズームインすることができる。本発明の他の例示的な実施形態では、マップセクション２１０は、家の形のアイコンで示される顧客の物理アドレスをその中心に示す（図示せず）。
【００３２】
ホットボタン２６２、２６４、２６６は、マップセクション２１０に示されている地理的領域の中の主な事業、ビジネスクーポン、パートナへのリンクを含む。顧客は、終了ボタン２５０を選択してディレクトリプログラムを終了することができる。終了時に、ディレクトリプログラム又はウェブページは、イベントログテーブルにプログラム実行時間を書き留める。
【００３３】
例示的な実施形態２００では、検索選択セクション２２０は複数のタブ、事業ディレクトリタブ、コミュニティ情報タブ、検索タイプ選択２３０（例示的な実施形態でのカテゴリ、キーワード、又は名前）、検索用語エントリ、又はプルダウンエリア２３２（検索タイプに応じて適宜変化する。たとえば、選択された検索タイプがカテゴリである場合、検索用語エントリ２３２は図１４に示す例示的カテゴリリスト２３６のような限定的リストであってよい）を含む。また、検索選択セクションは１つ又は複数の選択可能フィルタ２３４を含む。例示的な実施形態では、検索フィルタは地理的制限（特定の地域又は市に位置する事業）、表示マップ位置を有する事業（例示的な一実施形態での代表的事業）、又は少なくとも１つの電子クーポンを有する事業を含む。
【００３４】
図１５は、本発明による、検索選択セクション２２０に基づく検索結果２４０を含む、例示的なコミュニティ指向インタラクティブ事業ディレクトリ画面の図である。検索選択セクション２２０のパラメータは、検索が要求されるたびにイベントログテーブルに保存される。図１５において、検索結果セクション２４０は複数のサブセクション２４２と２４４に分かれている。ここで、セクション２４２は（例示的な実施形態で契約パッケージを有する）加入事業を示し、サブセクション２４４は優遇事業を一覧にしている。加入事業セクション２４２では、例示的な実施形態はビジネスオプションを示す複数のアイコン、たとえば、事業が少なくとも１つの電子クーポンを有することを示すハサミ形のアイコン、事業がマップセクション２１０に対応するアイコンを有することを示す事業名の隣のブルーボタンを含む。図１５の例示的検索結果では、すべての加入事業は電子クーポンを提供し、５つの加入事業のうちの３つが対応するマップアイコン２１２、２１４、２１６を有する。マップセクション２１０に示すように、事業は一意の又は商標関連のマップアイコン２１２あるいは一般的なマップアイコン２１４又は２１６を有する。
【００３５】
図１６と図１７に示されているように、マップセクション２１０においてマップアイコン２１２、２１４、又は２１６の上をマウス又はカーソルが横切ると、あるいは検索結果セクション２４０の対応する事業リストの上をマウス又はカーソルが横切ると、ペアが強調表示される。特に図１６に示すように、マップセクション２１０のマップアイコン２１４の上を横切るとき、対応するマップアイコンは中心にマップアイコン２１４を有する回転する円２１８によって強調表示される。対応する事業名２４６は検索結果セクション２４０において強調表示される。さらに、図１７に示すように、検索結果セクション２４０で事業名の上を横切るとき、中心にマップアイコン２１２を有する回転する円２１８によって、対応するマップアイコン２１２が強調表示される。例示的な実施形態において、顧客がマップアイコン２１２、２１４、又は２１６をダブルクリックすると、顧客の物理アドレスからマップアイコンに対応する選択された事業への詳細な運転方向が表示される。他の例示的な実施形態では、運転方向として使用するために方向セットが印刷又は保存される反対方向も表示され得る。
【００３６】
図１８、１９、２０は、加入事業２４２が検索結果セクション２４０において選択されたときに作成される、３つの異なる事業情報ウィンドウ２６０を示している。図１８に示されている事業情報ウィンドウ２６０は、事業の物理アドレス、電話番号２６２、ウェブサイト及び電子メールリンク２６４、電子クーポンリンク２６６を含む。実施形態において、情報ウィンドウ２６０は、選択されたとき事業アドレスと顧客アドレスの間の運転方向を表示する運転方向リンクを含むこともある。例示的な実施形態において、事業情報ウィンドウ２６０が表示されるとき、連絡先情報は自動的に事業のローカルアドレスにダウンロードされる。さらに、図１９に示されている事業情報ウィンドウ２６０は、事業２６８の詳細説明を含む。さらに、図２０に示されている事業情報ウィンドウ２６０は、図２１に示されている例示的ビデオウィンドウセクション２７０のようなビデオウィンドウセクション２７０においてビデオコンテンツを表示するビデオ再生ボタン２６９を含む。
【００３７】
図２２は、実施形態でクーポンホットボタン２６４を選択したときに表示され得るクーポンウィンドウ２８０を示している。クーポンウィンドウ又はセクション２８０は、マップセクション２１０に示されている地理的領域内の、又は別の実施形態ではデータベーステーブルによって捉えられる地理的領域内のどこかの、アルファベット選択バー２８２とクーポン提供事業のリストを含む。図２３は、例示的な実施形態において代表事業ホットボタン２６２が選択されたときに表示され得る、代表事業ウィンドウ２９０を示している。代表事業ウィンドウ又はセクション２９０は、マップセクション２１０に示されている地理的領域内の、又は他の実施形態でのデータベーステーブルによって捉えられる地理的領域内のどこかに位置する、代表事業のグラフィカルリスト２９２を含む。
【００３８】
例示的な実施形態において、事業ディレクトリプログラムは、可能な場合、１つ又は複数の関連コミュニティに関する情報を提供することができる。図２４は、例示的なコミュニティ情報検索セクション３００と検索結果セクション３２０を示している。この例に示すように、顧客はコミュニティ３１２と１つ又は複数のカテゴリ３１０を選択することができる。検索結果３２０は、選択した検索基準に基づくコミュニティ情報を提供しており、関連のウェブページへのリンクを含んでいてよい。
【００３９】
本発明は、本発明の目的を達成するための最良の形態で説明されたが、本発明の精神又は範囲から逸脱することなく、本教示から見て本発明の変形を実現できることは当業者にとっては明白である。たとえば、本発明は、コンピュータプログラミングソフトウェア、ファームウェア、又はハードウェアの任意の組み合わせを使って実現することができる（たとえば、Ｃ＋＋などのソフトウェア言語を使って、本発明を実現することができる）。本発明を実現するための準備ステップ又は本発明による装置を構成する準備ステップとして、本発明に従った（ソフトウェア又はファームウェアの）コンピュータプログラミングコードは通常、固定（ハード）ドライブ、ディスケット、光ディスク、磁気テープ、ＲＯＭやＰＲＯＭのような半導体メモリのような１つ又は複数の機械読み取り可能記憶媒体に保存され、本発明による製造品が作成される。コンピュータプログラミングコードを含む製造品は、記憶装置から直接コードを実行することによって、あるいはコードを、記憶装置からハードディスク、ＲＡＭなどの他の記憶装置にコピーすることによって、あるいは遠隔実行のためにネットワークにコードを送信することによって使用される。
【図面の簡単な説明】
【００４０】
【図１】本発明に基づく模範的なコミニュティ指向対話型事業ディレクトリ体系１０のブロック図である。
【図２】図１に示す模範的なコミニュティ指向対話型事業ディレクトリ処理システム４０のブロック図である。
【図３】本発明に基づく模範的なコミニュティ指向事業ディレクトリにおけるデータベース生成過程のフローチャートである。
【図４】本発明に基づく模範的なウェブベースのコミニュティ指向対話型事業ディレクトリにおけるデータベースの選択およびダウンロード過程のフローチャートである。
【図５】本発明に基づく模範的なコミニュティ指向対話型事業ディレクトリにおけるデータベースロード過程のフローチャートである。
【図６】本発明に基づく模範的なコミニュティ指向対話型事業ディレクトリにおける顧客インストール過程のフローチャートである。
【図７】本発明に基づく模範的なコミニュティ指向対話型事業ディレクトリにおけるソフトウェアデータベースのインストール過程のフローチャートである。
【図８】本発明に基づく模範的なコミニュティ指向対話型事業ディレクトリにおける事業の対応付け過程のフローチャートである。
【図９】本発明に基づく模範的なコミニュティ指向対話型事業ディレクトリにおける事業情報のセットアップまたはメンテナンス過程のフローチャートである。
【図１０】本発明に基づく模範的なコミニュティ指向対話型事業ディレクトリにおける顧客アクティビティ報告の要求過程のフローチャートである。
【図１１】本発明に基づく模範的なコミニュティ指向対話型事業ディレクトリにおける顧客アクティビティ報告の生成過程のフローチャートである。
【図１２Ａ】本発明に基づく模範的なコミニュティ指向対話型事業ディレクトリにおけるソフトウェアの起動過程のフローチャートである。
【図１２Ｂ】本発明に基づく模範的なウェブベースのコミニュティ指向対話型事業ディレクトリ過程のフローチャートである。
【図１３】本発明に基づく模範的なコミニュティ指向対話型事業ディレクトリ画面の一例である。
【図１４】本発明に基づく模範的なコミニュティ指向対話型事業ディレクトリ画面の一例であり、１以上のカテゴリから事業の検索が可能である。
【図１５】本発明に基づく模範的なコミニュティ指向対話型事業ディレクトリ画面の一例であり、検索結果が含まれている。
【図１６】本発明に基づく模範的なコミニュティ指向対話型事業ディレクトリ画面の一例であり、該当するマップアイコンが選択されており、画面中に検索結果に示された事業が強調表示されている。
【図１７】本発明に基づく模範的なコミニュティ指向対話型事業ディレクトリ画面の一例であり、検索結果においてマップ位置に店舗を有する事業が選択されたため、マップ位置アイコンが強調表示されている。
【図１８】本発明に基づく模範的なコミニュティ指向対話型事業ディレクトリ画面の一例であり、検索結果において事業が選択されたため、基本的な事業情報が表示されている。
【図１９】本発明に基づく模範的なコミニュティ指向対話型事業ディレクトリ画面の一例であり、検索結果において事業が選択されたため、より詳細な事業情報が表示されている。
【図２０】本発明に基づく模範的なコミニュティ指向対話型事業ディレクトリ画面の一例であり、検索結果において事業が選択されたため、特別事業情報が表示されている。
【図２１】模範的なコミニュティ指向対話型事業ディレクトリ画面の一例であり、図２０に示す特別事業情報テーブルにおいて映像リンクが選択されたため、映像コンテンツが表示されている。
【図２２】本発明に基づく模範的なコミニュティ指向対話型事業ディレクトリ画面の一例であり、事業クーポンテーブルが表示されている。
【図２３】本発明に基づく模範的なコミニュティ指向対話型事業ディレクトリ画面の一例であり、特集事業テーブルが表示されている。
【図２４】本発明に基づく模範的なコミニュティ指向対話型事業ディレクトリ画面の一例であり、コミニュティ情報が表示されている。
【図１】
2007535843.tif 000003
【図２】
2007535843.tif 000004
【図３】
2007535843.tif 000005
【図４】
2007535843.tif 000006
【図５】
2007535843.tif 000007
【図６】
2007535843.tif 000008
【図７】
2007535843.tif 000009
【図８】
2007535843.tif 000010
【図９】
2007535843.tif 000011
【図１０】
2007535843.tif 000012
【図１１】
2007535843.tif 000013
【図１２Ａ】
2007535843.tif 000014
【図１２Ｂ】
2007535843.tif 000015
【図１３】
2007535843.tif 000016
【図１４】
2007535843.tif 000017
【図１５】
2007535843.tif 000018
【図１６】
2007535843.tif 000019
【図１７】
2007535843.tif 000020
【図１８】
2007535843.tif 000021
【図１９】
2007535843.tif 000022
【図２０】
2007535843.tif 000023
【図２１】
2007535843.tif 000024
【図２２】
2007535843.tif 000025
【図２３】
2007535843.tif 000026
【図２４】
2007535843.tif 000027
【国際調査報告】
2007535843.tif 000028